(57)【要約】【課題】未だ着目されてない新たな環境要素を改善することで人が良好に活動できる生活空間を形成することができる生活設備を提供する。【解決手段】外界と隔絶された生活空間２１を形成する構造体２０と、前記生活空間２１の全体に磁界を形成する磁界形成手段３０とを備える。また、外界と隔絶された生活空間２１を形成する構造体２０と、前記生活空間２１に外部から空気を供給する空気供給手段４０と、該空気供給手段４０によって供給される空気を磁界処理する供給空気磁界処理手段４１とを備える。さらに、外界と隔絶された生活空間２１を形成する構造体２０と、前記生活空間２１の空気を生活空間２１内にて循環させる空気循環手段５０と、該空気循環手段５０によって循環される空気を磁界処理する循環空気磁界処理手段５１とを備える。【選択図】図１
2005334095.tif 000002
【特許請求の範囲】
【請求項１】
外界と隔絶された生活空間を形成する構造体と、
前記生活空間の全体に磁界を形成する磁界形成手段と
を備えることを特徴とする生活設備。
【請求項２】
外界と隔絶された生活空間を形成する構造体と、
前記生活空間に外部から空気を供給する空気供給手段と、
該空気供給手段によって供給される空気を磁界処理する供給空気磁界処理手段と
を備えることを特徴とする生活設備。
【請求項３】
外界と隔絶された生活空間を形成する構造体と、
前記生活空間の空気を生活空間内にて循環させる空気循環手段と、
該空気循環手段によって循環される空気を磁界処理する循環空気磁界処理手段と
を備えることを特徴とする生活設備。
【発明の詳細な説明】
【技術分野】
【０００１】
本発明は、生活設備に関するものであり、詳しくは、住宅等の居住空間や乗物の乗車空間等の人の生活空間の環境を改善する生活設備に関するものである。
【背景技術】
【０００２】
人は、住宅等の居住空間、事業所のオフィスや工場等の労働空間等、様々な生活空間で活動している。また、人は、自動車、列車等、種々の乗物を利用して移動する場合もあり、移動時においては、乗物内の乗車空間が人の生活空間となっている。そして、屋内や乗物内では、人の生活空間が、建築物全体や建築物内部の個々の部屋を構成する構造体、乗物の車体全体や乗物内部の個々の部屋を構成する構造体等、種々の構造体によって外界と隔絶されている。
【０００３】
ところで、近年においては、外界と隔絶された生活空間の環境について、エアコンによって温度や湿度を調節したり、空気清浄機によって汚れた空気を清浄したり、嫌な臭いを消臭する消臭剤や良い臭いを発生させる芳香剤等により臭いを調節したり、音楽や自然の音等を流して音を調節したり、マイナスイオン発生器によってマイナスイオンを発生させて空気中のイオンを調節したりする等して、生活空間の環境を改善することで、人が良好に活動できるようにすることが提案されている。
【０００４】
上記背景技術は、一般的になされている事項であり、本願出願人は、出願時において、この背景技術を特定するような記載がなされた文献を特に知見していない。
【発明の開示】
【発明が解決しようとする課題】
【０００５】
しかしながら、従来から提案されている生活空間の環境の改善要素は、温度や湿度、空気の汚れ、臭い、音、空気中のイオン等に止まり、未だ、不十分である。
【０００６】
本発明は、上記実状を鑑みてなされたものであり、未だ着目されてない新たな環境要素を改善することで人が良好に活動できる生活空間を形成することができる生活設備の提供を課題とするものである。
【課題を解決するための手段】
【０００７】
上述した課題を解決するために本発明の採った手段は、
「外界と隔絶された生活空間を形成する構造体と、
前記生活空間の全体に磁界を形成する磁界形成手段と
を備えることを特徴とする生活設備」
である。
【０００８】
上記構成の生活設備では、構造体によって外界と隔絶された生活空間の全体について、磁界形成手段によって磁界が形成される。ここで、磁界によって血液の流れを良くしたり、細胞を活性化させたりすることができることは知られている。よって、上記構成の生活設備によれば、「磁界」といった新たな環境要素を改善することができ、人が良好に活動できる生活空間を形成することができる。
【０００９】
また、
「外界と隔絶された生活空間を形成する構造体と、
前記生活空間に外部から空気を供給する空気供給手段と、
該空気供給手段によって供給される空気を磁界処理する供給空気磁界処理手段と
を備えることを特徴とする生活設備」
である。
【００１０】
上記構成の生活設備では、生活空間に外部から供給される空気が供給空気磁界処理手段によって磁界処理される。ここで、流体の粒子（分子の集合体）は、磁界を通すことによって微細化されることは知られている。例えば、通常の水の粒子は、１５個程度の分子の集合体であるが、１２５ｍＴ（ミリテスラ）（１２５０Ｇｓ（ガウス））の磁界を通して磁界処理することで、５個程度の分子の集合体に微細化される。よって、空気を磁界処理することで、空気を構成する気体の粒子や、空気中の水蒸気の粒子が微細化される。このように粒子が微細化された空気の環境下では、肺呼吸や皮膚呼吸により体内に必要な酸素や水分が良好に吸収され、人の細胞が活性化する。従って、上記構成の生活設備によれば、「空気中の粒子」といった新たな環境要素を改善することができ、人が良好に活動できる生活空間を形成することができる。
【００１１】
また、磁界を通すことで雑菌を減菌或いは滅菌できることも知られている（例えば、特開平１−２５７４７３号公報）。よって、「雑菌の減菌或いは滅菌」といった新たな環境要素を改善することもでき、この点からも、人が良好に活動できる生活空間を形成することができる。
【００１２】
また、
「外界と隔絶された生活空間を形成する構造体と、
前記生活空間の空気を生活空間内にて循環させる空気循環手段と、
該空気循環手段によって循環される空気を磁界処理する循環空気磁界処理手段と
を備えることを特徴とする生活設備」
である。
【００１３】
上記構成の生活設備では、生活空間内にて循環する空気が、循環空気磁界処理手段によって磁界処理される。よって、循環する空気についての「空気中の粒子」や「雑菌の減菌或いは滅菌」といった新たな環境要素を改善することができ、人が良好に活動できる生活空間を形成することができる。
【発明の効果】
【００１４】
上述した通り、本発明に係る生活設備によれば、未だ着目されてない新たな環境要素を改善することで人が良好に活動できる生活空間を形成することができる。
【発明を実施するための最良の形態】
【００１５】
以下、本発明の一実施形態である生活設備について、図面に基づいて詳細に説明する。
【００１６】
図１に示すように、生活設備１０は、人が生活する生活空間２１を形成する構造体２０を備えている。ここで、生活空間２１は、住宅等の居住空間、事業所のオフィスや工場等の労働空間、学校の教室等の勉学空間、映画館やゲームセンター等の娯楽空間、自動車、列車、船舶、航空機等の乗物の乗車空間等、様々な空間である。よって、生活空間２１が建築物により構成される態様では、生活空間２１を形成する構造体２０は、住宅、社屋、工場、学舎、娯楽施設等、各種の建築物を構成する構造体２０となる。一方、生活空間２１が乗物により構成される態様では、構造体２０は、乗物を構成する構造体２０となる。また、生活空間２１は、構造体２０によって外界と隔絶された状態となっているが、この隔絶した状態は、外界と完全に遮断された状態であってもよく、テント、柵、オープンカー等の構造体２０等のように、側部や上部等、一部が開放されるようにして外界と区画された状態であってもよい。
【００１７】
また、生活設備１０は、生活空間２１全体に磁界を形成する磁界形成手段３０を備えている。ここで、磁界形成手段３０としては、生活空間２１全体に巻回された電磁コイルを用いたもの、生活空間２１全体の周囲の適所に設けられた永久磁石を用いたもの等、適宜の構造を採用することができる。また、磁界形成手段３０は、構造体２０に内蔵されたものであってもよく、或いは、構造体２０の内面や外面に装着されたものであってもよい。
【００１８】
このように生活空間２１に磁界を形成することで、生活空間２１を、人の良好な活動を促進する環境とすることができる。
【００１９】
なお、磁界形成手段３０を、電磁コイルを用いて構成する場合、直流電流によって磁界を形成するようにしてもよく、或いは、交流電流によって磁界を形成するようにしてもよい。ここで、交流電流によって磁界を形成することとすると、交流電流の振動数に応じて磁力線の方向が変動する。このため、磁力線の方向の絶え間ない変動によっても、人の活動の活性化を促進させることができる。また、磁力線の方向が変動するように電流の方向を切り換える時間間隔を、秒単位、分単位、或いは、時間単位で任意に調節できるようにしてもよい。
【００２０】
また、電磁コイルを鉛直方向の軸線周りに巻回されたものとすれば、磁力線が鉛直方向の磁界を形成することができる。また、電磁コイルを水平方向の軸線周りに巻回されたものとすれば、磁力線が水平方向の磁界を形成することができる。ここで、磁界形成手段３０としては、磁力線が鉛直方向の磁界を形成するもの、或いは、磁力線が水平方向の磁界を形成するもののうち、一方であってもよいが、双方を兼ね備えたものであってもよい。磁力線が鉛直方向の磁界を形成する電磁コイルと、磁力線が水平方向の磁界を形成する電磁コイルとを併用する態様では、夫々の電磁コイルの通電量を個別に調節できるようにすることが好適である。磁力線方向及び磁力が異なる磁界を合成することで、多様な磁界形態を実現することができるからである。
【００２１】
ところで、生活設備１０は、生活空間２１に外部から空気を供給する空気供給手段４０をも備えている。ここで、空気供給手段４０としては、外部の空気を生活空間２１に取り入れる送風ファン及びダクトを備えたもの等、適宜の構造を採用することができる。
【００２２】
空気供給手段４０には、供給される空気を磁界処理する供給空気磁界処理手段４１が設けられている。これにより、生活空間２１には、磁界を通した空気が外部から供給される（図示矢印Ａ）。ここで、供給空気磁界処理手段４１は、供給する空気を磁界処理できるものであればよく、電磁コイルを用いたもの、永久磁石を用いたもの等、適宜の構造を採用することができる。
【００２３】
なお、供給空気磁界処理手段４１を、上記送風ファンの上流側に設けてもよく、下流側に設けてもよく、或いは、上流側及び下流側の双方に設けてもよい。ここで、上流側に設ける態様では、送風ファンに進入する円滑な流れの空気を磁界処理することができ、空気を均一に磁界処理することができる。一方、下流側に設ける態様では、送風ファンから送出され、大きな乱れを生じて経路が長くなった流れの空気を磁界処理することができ、空気を効率よく磁界処理することができる。そして、上流側及び下流側の双方に設ける態様では、当然、上述の利点の夫々を得ることができる。
【００２４】
このように生活空間２１に磁界処理された空気を供給することで、生活空間２１を、空気の粒子が微細化され、しかも、雑菌が減菌または滅菌された環境とすることができ、人の良好な活動を促進する環境とすることができる。
【００２５】
さらに、生活設備１０は、生活空間２１内に、生活空間２１内の空気を循環させる空気循環手段５０をも備えている。ここで、空気循環手段５０としては、扇風機、送風機等の単に風を送る機器、エアコンディショナーや空気清浄機等の空調機器等、各種の機器を用いて構成することができる。
【００２６】
空気循環手段５０には、循環される空気を磁界処理する循環空気磁界処理手段５１が設けられている。これにより、生活空間２１には、磁界を通した空気が循環される（図示矢印Ｂ）。ここで、循環空気磁界処理手段５１は、循環される空気を磁界処理できるものであればよく、電磁コイルを用いたもの、永久磁石を用いたもの等、適宜の構造を採用することができる。
【００２７】
このように生活空間２１に磁界処理された空気を循環させることによっても、生活空間２１を、空気の粒子が微細化され、しかも、雑菌が減菌または滅菌された環境とすることができ、人の良好な活動を促進する環境とすることができる。
【００２８】
なお、磁界形成手段３０により形成する磁界の磁力が強過ぎると、人の良好な生活に支障を来たす虞がある。一方、供給空気磁界処理手段４１や循環空気磁界処理手段５１により磁界処理する磁力が弱過ぎると、空気の粒子の微細化や雑菌の減菌化または滅菌化を良好に行うことができなくなる。よって、供給空気磁界処理手段４１や循環空気磁界処理手段５１により磁界処理する磁力は、磁界形成手段３０により形成する磁界の磁力よりも強いことが好ましい。具体的には、磁界形成手段３０の磁力については、１００ｍＴ（ミリテスラ）（１０００Ｇｓ（ガウス））以下、好ましくは５０ｍＴ（ミリテスラ）（５００Ｇｓ（ガウス））以下、より好ましくは１０ｍＴ（ミリテスラ）（１００Ｇｓ（ガウス））以下、さらに好ましくは１ｍＴ（ミリテスラ）（１０Ｇｓ（ガウス））以下とするのがよい。一方、供給空気磁界処理手段４１や循環空気磁界処理手段５１の磁力については、１００ｍＴ（ミリテスラ）（１０００Ｇｓ（ガウス））以上、好ましくは２００ｍＴ（ミリテスラ）（２０００Ｇｓ（ガウス））以上、より好ましくは３００ｍＴ（ミリテスラ）（３０００Ｇｓ（ガウス））以上、さらに好ましくは５００ｍＴ（ミリテスラ）（５０００Ｇｓ（ガウス））以上とするのがよい。
【００２９】
以上、本発明に係る生活設備の一例を示したが、本発明に係る生活設備はこれに限らず、本発明の要旨を逸脱しない範囲で、適宜の変更が可能である。例えば、（１）「磁界形成手段」、（２）「空気供給手段及び供給空気磁界処理手段」、（３）「空気循環手段及び循環空気磁界処理手段」の全てを備えたものに限らず、上記（１）〜（３）の各構成のうち、少なくとも一つの構成を備えたものであればよい。また、上記（１）及び（２）を組み合わせたものであってもよく、上記（１）及び（３）を組み合わせたものであってもよく、或いは、上記（２）及び（３）を組合わせたものであってもよい。
【００３０】
さらに、例えば図２に示すように、建築物や乗物などの内部に、構造体２０によって外界と隔絶された複数の部屋が設けられており、各部屋が生活空間２１となっている態様では、適宜の部屋である適宜の生活空間について、上記（１）〜（３）の各構成のうち、少なくとも一つの構成を設ければよい。なお、図２に示した生活設備１０において、上述の例と同様な構成については、同一の符号を付すことで、詳細な説明を省略する。
【００３１】
また、図２に示すように、上記（１）〜（３）の少なくとも一つの構成に、さらに加えて、建築物全体や乗物全体の内部空間に磁界を形成する上記（１）の磁界形成手段３０と同様に構成された第二の磁界形成手段３１を設けてもよい。このように磁界形成手段３０，３１を複数重複して設ける場合においても、各磁界成形手段３０，３１の磁力線の方向を異ならせたり、各磁界成形手段３０，３１の磁力を個別に調節できるようにすると、合成により多様な形態の磁界を形成できることから好適である。
【００３２】
さらに、住宅等の居住空間を有する建築物においては、リビング、寝室、浴室等、適宜の部屋を対象として本発明を適用することで、人の活動を活性化させるばかりでなく、上記（１）〜（３）の作動態様によっては、リラックス効果を得ることができることもあり、「くつろぎ」の生活空間を形成することもできる。
【図面の簡単な説明】
【００３３】
【図１】本発明に係る生活設備の一例を模式的に示す説明図である。
【図２】本発明に係る生活設備の別例を模式的に示す説明図である。
【符号の説明】
【００３４】
１０  生活設備
２０  構造体
２１  生活空間
３０  磁界形成手段
３１  第二の磁界形成手段
４０  空気供給手段
４１  供給空気磁界処理手段
５０  空気循環手段
５１  循環空気磁界処理手段
【図１】
2005334095.tif 000003
【図２】
2005334095.tif 000004